(57)【要約】      （修正有）【課題】  接触片が大きな予備応力を生じさせる力をもって接触片間に端子片を保持し、さらに、動作中に端子片に発生する振動を減衰するのに好適な雌端子を提供する。【解決手段】  矩形断面を有し且つ、平らな雄端子用の雌端子に関し、雌端子は、接触要素１が、接触領域４をそれぞれ設けられた２つの弾性接触片３を有し、接触領域４は、互いに対向して配置され、互いの間で狭持するようにして端子片５に接触し、支持要素１６が、矩形管状に形成され、その内部に弾性接触片３を収容し、弾性接触片３をカバーしない対向する２つの壁２０，２２上に、一端を接続された弾性係止片２６を有し、弾性係止片２６が、弾性接触片３の間に嵌合し、弾性接触片３の接触領域４を、予備応力を生じさせるように且つ、非接触となるように保持し、端子片５の幅Ｂより小さい遊離距離Ｃを互いに有し、長手方向軸線２に沿って挿入位置にある端子片５に接触する。【選択図】      図３
2005050818.tif 000002
【特許請求の範囲】
【請求項１】
矩形断面を有し且つ、所定の幅（Ｂ）および厚さ（Ｄ）を有する端子片（５）を備えた平らな雄端子用の雌端子であって、
接触要素（１，１０１）と、支持要素（１６，１１６）と、導体を電気的に接続するための手段（１３，１１３）と、を備え、
前記接触要素（１，１０１）が、
長手方向軸線（２，１０２）を形成し、
前記長手方向軸線（２，１０２）に沿って互いに接近し且つ、接触領域（４，１０４）をそれぞれ設けられた２つの弾性接触片（３，１０３）を有し、
前記接触領域（４，１０４）は、互いに対向して配置され、互いの間で狭持するようにして前記端子片（５）に接触し、
前記支持要素（１６，１１６）が、
矩形管状に形成され、前記接触要素（１，１０１）を取り囲む４つの壁（１９，２０，２１，２２；１１９，１２０，１２１，１２２）によって境界付けられ、
その内部に前記弾性接触片（３，１０３）を収容し、そのさい対向する２つの前記壁（１９，２１；１１９，１２１）が前記弾性接触片（３，１０３）をカバーし、
前記接触要素（１，１０１）に接続され、
前記弾性接触片（３，１０３）をカバーしない対向する２つの前記壁（２０，２２；１２０，１２２）上に、前記支持要素（１６，１１６）の第１端（１７，１１７）に近接して配置され、これら２つの対向する壁（２０，２２；１２０，１２２）に一端を接続された弾性係止片（２６，１２６）を有し、前記弾性係止片（２６，１２６）が、前記弾性接触片（３，１０３）の間に嵌合し、前記平らな雄端子が挿入されない限り、前記弾性接触片（３，１０３）の前記接触領域（４，１０４）を、予備応力を生じさせるように且つ、前記端子片（５）の厚さ（Ｄ）より小さい距離（Ａ）を互いに置いて非接触となるように保持し、前記端子片（５）の挿入前に、前記端子片（５）の幅（Ｂ）より小さい遊離距離（Ｃ）を互いに有し、前記支持要素（１６，１１６）の前記第１端（１７，１１７）から前記弾性接触片（３，１０３）の前記接触領域（４，１０４）よりもさらにオフセットされた接触区域において、前記長手方向軸線（２，１０２）に沿って挿入位置にある前記端子片（５）に接触する、
ことを特徴とする平らな雄端子用の雌端子。
【発明の詳細な説明】
【技術分野】
【０００１】
本発明は、矩形断面を有する端子片を備えた平らな雄端子用の雌端子に関する。
【背景技術】
【０００２】
従来から、矩形断面を有し且つ、所定の幅および厚さを有する端子片を備えた平らな雄端子用の雌端子、または、矩形断面を有し且つ、明細書においてボックス状バネと呼ばれる端子片を有する平らな雄端子用の雌端子が知られている（例えば、特許文献１および特許文献２参照。）。
【０００３】
特許文献１は、矩形断面を有し且つ、所定の幅および厚さを有する端子片を備えた平らな雄端子用の雌端子を開示している。この雌端子は、長手方向軸線を形成している接触要素を備えている。この接触要素は２つの弾性接触片を有しており、この２つの弾性接触片は、前記長手方向軸線に沿って互いに接近し且つ、互いの間で狭持するようにして端子片に接触する接触領域をそれぞれ有している。この接触領域は、互いに対向して配置されている。この雌端子は、さらに、管状に形成され且つ、前記接触要素を取り囲む壁によって境界付けられた支持要素を備えている。前記弾性接触片は、この支持要素に収容される。前記弾性接触片は、支持要素によって作用される。前記支持要素は、２つの対向する前記壁上に係止片をそれぞれ有しており、この係止片は、前記弾性接触片間に嵌合し且つ、平らな雄端子が挿入されない限り、前記弾性接触片の接触領域を互いに距離を置いて予備応力を生じさせて保持する。前記係止片は、さらに、挿入に際して平らな雄端子を案内する。前記係止片は、接触点区域に向かって内側に屈曲され且つ、雌端子の挿入開口に近接して配置されるそれらの端部を係合壁に接続されている。
【０００４】
特許文献２は、矩形断面を有し且つ、明細書においてボックス状バネと呼ばれる端子片を有する平らな雄端子用の雌端子を開示している。この雌端子は、ベース部分を有する接触要素を備え、このベース部分からは、第１端部から長手方向軸線に沿って延びて互いに接近する２つの弾性接触片が延設されている。この弾性接触片は、それらの自由端に接触領域を形成している。この弾性接触片は、前記接触領域から互いに離間するように延びている。前記接触要素、特に前記弾性接触片は、いわゆる被覆バネ要素（支持要素）によって取り囲まれており、この被覆バネ要素は、前記弾性接触片に当接すると共にそれらを支持する被覆バネアームを有している。
【０００５】
接触バネに対して直角に延びる被覆バネ要素の２つの壁には２つの構造体が設けられており、この構造体は、前記端子片が挿入されない限り、予備応力を生じさせるように或る距離をおいて前記弾性接触片を保持する。この構造体は、２つの平行な切り込みを前記被覆バネ要素の前記壁に設けることにより形成され、その結果、前記弾性接触片に向かう方向に変形され、ボックス状バネの壁に接続された１つの帯片が形成される。
【０００６】
【特許文献１】独国特許第２９７１９１５３Ｕ１号明細書
【特許文献２】欧州特許第０３５２８７１Ｂ１号明細書
【発明の開示】
【発明が解決しようとする課題】
【０００７】
この実施形態における欠点としては、前記構造体によって、予備応力を生じさせるように前記弾性接触片を保持することができ、その結果、挿入された前記端子片に対して高い接触圧力が達成される。しかし、横方向に前記端子片が振動する可能性があり、その結果、付随する磨耗が発生し、また、動作中、振動による雑音が発生し得る。
【０００８】
そのため、本発明の目的は、動作中に接触片が大きな予備応力を生じさせる力をもって接触片間に端子片を保持することを保証して有利な電気的接続を実現し、さらに、動作中に端子片に発生する振動を減衰するのに好適な雌端子を提供することにある。
【課題を解決するための手段】
【０００９】
この目的は、本発明によれば、
矩形断面を有し且つ、所定の幅および厚さを有する端子片を備えた平らな雄端子用の雌端子であって、
接触要素と、支持要素と、導体を電気的に接続するための手段と、を備え、
前記接触要素が、
長手方向軸線を形成し、
前記長手方向軸線に沿って互いに接近し且つ、接触領域をそれぞれ設けられた２つの弾性接触片を有し、
前記接触領域は、互いに対向して配置され、互いの間で狭持するようにして前記端子片に接触し、
前記支持要素が、
矩形管状に形成され、前記接触要素を取り囲む４つの壁によって境界付けられ、
その内部に前記弾性接触片を収容し、そのさい対向する２つの前記壁が前記弾性接触片をカバーし、
前記接触要素に接続され、
前記弾性接触片をカバーしない対向する２つの前記壁上に、前記支持要素の第１端に近接して配置され、これら２つの対向する壁に一端を接続された弾性係止片を有し、前記弾性係止片が、前記弾性接触片の間に嵌合し、前記平らな雄端子が挿入されない限り、前記弾性接触片の前記接触領域を、予備応力を生じさせるように且つ、前記端子片の厚さより小さい距離を互いに置いて非接触となるように保持し、前記端子片の挿入前に、前記端子片の幅より小さい遊離距離を互いに有し、前記支持要素の前記第１端から前記弾性接触片の前記接触領域よりもさらにオフセットされた接触区域において、前記長手方向軸線に沿って挿入位置にある前記端子片に接触する、
ことを特徴とする平らな雄端子用の雌端子によって解決される。
【００１０】
この実施形態における利点は、雌端子内に収容される端子片が、接触片および係止片によって弾性的に作用され、その結果、安定した保持が達成されるということである。さらに、接触片の作用方向と交差する方向に発生する振動が効果的に減衰される。かかる振動は、接触領域において、それぞれ、摩擦性の腐食または磨耗を引き起こす可能性があり、それによって遷移抵抗が非常に大きく減少される。
【００１１】
本発明のさらに他の改良において、第１の実施形態は、
前記接触要素が、第１端部および第２端部と、互いに対向して２つ１組で配置された４つの側壁と、を設けられた中空矩形のベース部分を有し、
前記ベース部分において、前記弾性接触片が、前記ベース部分の前記第１端部から且つ対向する２つの前記側壁から、前記長手方向軸線に沿ってそれぞれ突出し、前記弾性接触片が、前記第１端部から離れるに従って互いに接近し、前記接触領域を互いに対向させてそれぞれ有している。
【００１２】
この実施の形態において、弾性接触片は接触要素に設けられる。この接触要素は、中空矩形のベース部分により、対応して、堅固に形成され、接触要素を取り囲む支持要素を介してさらに支持される。この設計により、異なる材料から接触要素および支持要素を形成することもできる。有利なことには、支持要素が、例えば耐錆性鋼から形成され、ひいては、例えば金属シートから形成されるならば、その結果、ボックス状の形状が達成され、係止片が所定の位置を維持するのに役立ち、回転移動が引き起こされることがない。接触要素は良好な導電性を有する材料から形成され得る。
【００１３】
本発明が、例えばその断面が１ｍｍ程度の幅および０．６ｍｍ程度の厚さを有する端子片に供される非常に小さい雌端子に関するので、かかる構造は特に重要である。
【００１４】
本発明のさらに他の実施形態は、
導体を電気的に接続するための前記手段が、前記接触要素の前記ベース部分の前記第２端部と一体に形成された圧着片によって形成されている。
【００１５】
加えて、絶縁導体に対して、絶縁体に圧着接続される圧着片が設けられる。
【００１６】
さらに他の実施の形態は、
接触要素が互いに接続され且つ支持要素に収容されるただ２つの接触片を有しており、その上、支持要素が導体に接続する。この場合に、導体を電気的に接続するための前記手段が、前記支持要素と一体に形成された圧着片によって提供される。
【００１７】
いずれの実施の形態においても、挿入を容易にするために、前記接触領域に続く前記接触片が互いに離れて再び延びている。
【００１８】
より確実に挿入することを可能とするために、前記接触片が、前記支持要素の挿入開口の正面において終端となり、前記支持要素が、前記接触片をカバーする２つの前記壁の壁部分を有し、該壁部分が、内側に向けて且つ前記弾性接触片の自由端に向けて反転されており、挿入される前記端子片の表面を案内する。かくして、端子片が偶発的に接触片の下になり得ることが阻止される。
【発明の効果】
【００１９】
本発明によれば、雌端子内に収容される端子片が、接触片および係止片によって弾性的に作用され、その結果、安定した保持が達成されるということである。さらに、接触片の作用方向と交差する方向に発生する振動が効果的に減衰される。
【発明を実施するための最良の形態】
【００２０】
本発明の２つの好適な実施形態が図面に概略的に示される。
図１は本発明に係る雌端子の第１の実施形態を示す側面図、図２は第１の実施形態に係る図１の雌端子の上面図、図３は図２のIII‐III長手方向断面図、図４は支持要素のみを示す図１のIV‐IV断面図、図５は図１のV‐V断面図、図６は図１のVI‐VI断面図、図７は本発明のさらに他の実施形態を示し、第２の実施形態の雌端子の長手方向断面図、図８は平らな雄端子の端子片の１部分を示す斜視図である。
【００２１】
本発明に係る雌端子の２つの実施形態の以下の説明において、接触要素１，１０１に関しては、それぞれ接触片３，１０３を備える。支持要素１６，１１６は、常に、接触要素１，１０１を収容する要素である。それ故に、圧着片は、図１から図６の実施形態に示されるように接触要素に、または図７の実施形態に示されるように支持要素に設けられ得る。
【００２２】
両実施形態の雌端子は、図８に示されるような、端子片５を有し且つ、幅Ｂおよび厚さＤを有する平らな雄端子に接続される。幅Ｂは、例えば、１．２ｍｍであり、一方厚さＤは０．６３ｍｍである。
【００２３】
本発明に係る複数の雌端子は、カップリング（コネクタ）のハウジングに収容され、対応する数の端子片を有する他のカップリング要素（係合コネクタ）に接続される。
【００２４】
以下に、まず、図１から図６の実施形態が説明され、上述の全ての符号について言及されている。
【００２５】
この実施形態に係る雌端子は接触要素１を備え、接触要素１は長手方向軸線２を形成しており、この長手方向軸線２は雌端子全体の長手方向軸線を呈する。接触要素１はベース部分６を備え、ベース部分６は、第１端部７および第２端部８を有し且つ、断面においてボックス状に形成され、すなわち、側壁９，１０，１１，１２を有して矩形中空輪郭を形成している。２つの側壁９および１２は対を成し、互いに対向して配置されている。２つの側壁１０および１１もまた対を成し、互いに対向して配置されるが、２つの他の側壁９および１２に対して直角に配置される。接触片３は、第１端部７から離れるにつれて互いに接近し且つ、それらの自由端の手前に互いに向かい合う接触領域４を形成しており、２つの対向する側壁９，１２の第１端部７から突出している。接触領域４から発して、第１端部７から離れる方向において、接触片３は互いから分岐し、その結果、一種の挿入漏斗が形成されている。接触要素１は、そのベース部分６に第２端部８を有し、第２端部８は長手方向軸線２に対して直角に延びる縁部を呈している。ベース部分６には、第１端部７および第２端部８から離れて、遷移部分１５が接続されており、遷移部分１５は、導体を接続するための第１圧着片１３において終端となっている。第１圧着片１３に距離を置いて、導体を有するケーブルの絶縁体用の２つの第２圧着片１４が設けられている。
【００２６】
接触要素１は、金属シートから一体に打ち抜かれるか又は形成される。上述した実施形態において、好ましくは、接触要素１は良好な導電性を有する材料から作られる。
【００２７】
ベース部分６およびベース部分６から突出している接触片３は、矩形断面を有し支持要素１６を形成する中空輪郭体によって取り囲まれる。支持要素１６は第１端１７および第２端１８を有している。支持要素１６は、さらに、壁１９，２０，２１，２２を備えており、壁１９および２１は互いに対向して配置され、接触片３をカバーしている。壁１９および２１に対して直角に配置された２つの壁２０，２２には、詳細には示されない第１の開口が設けられており、接触要素が、側壁１０，１１上の突起で第１の開口に突出する。支持要素１６は、さらに、壁２０，２２の区域に貫通孔を有しており、接触要素の側壁１０，１１から突出している保持突起２４が貫通孔に嵌合し、その結果、接触要素１および支持要素１６は互いにしっかりと接続されている。
【００２８】
保持片２３が壁２１から突出している。この保持片２３は、例えば、カップリング要素（コネクタ）の図示しないハウジング内に雌端子を保持する。両方の壁２０，２２には、打ち抜き係止片２６によって露呈した開口２５が設けられており、打ち抜き係止片２６は、第１端１７に近接して配置されたそれらの端部を対応する壁２０，２２の一方に接続され且つ、接触片３に向かう方向に内方（長手方向軸線２に向かって）に延び、接触片３に対して横方向に配置され、その結果、打ち抜き係止片２６は、接触片３の間に係合し、予備応力を生じさせるように接触領域４に距離Ａをおいて接触片３を保持し、この距離Ａは図８の端子片５の厚さＤより僅かに小さい。係止片２６は、それらの自由端を開口２５に位置させて互いに接近し、そして接触領域を形成しており、接触領域により端子片５の側縁部に接触し、そのさい図４に示される距離Ｃは端子片５が挿入されない限り、図８の端子片５の幅Ｂより小さい。係止片２６の接触領域は、長手方向軸線２に沿って、支持要素１６の第１端１７から接触要素１の接触片３の接触領域４よりもさらに離れて配置され、この第１端１７から設けられており、係止片２６は、挿入された状態で、接触領域において端子片５の側面に接触する。従って、図８の端子片５を挿入する際に、端子片５は、端子片５のより広い側、すなわち端子片５の上方側および下方側で、接触片３の接触領域４の区域において接触片３に接触し、接触片３を押圧してさらに離間させ、その後、弾性係止片２６に接触して弾性係止片２６を押圧して離間させ、それによって端子片は、完全に挿入された状態において、接触片３ならびに係止片２６によって作用され、結果、確実に保持される。
【００２９】
支持要素１６は、２つの対向する壁１９，２１上に、支持要素１６の前方の第１端１７から発して、内方に向かって曲げられ且つ、接触片３の自由端に近接して延びる壁部分２７，２８を有し、このようにして挿入開口２９を形成しており、挿入開口２９は、端子片を挿入する際に、端子片が接触片３に正面から当接することがないことを保証する。
【００３０】
好ましくは、支持要素１６は、耐錆性鋼から形成され、また、打ち抜きおよび曲げによってシートから形成される。これにより、継ぎ目はまた互いに溶接されることができ、溶接点または溶接継ぎ目によって壁が互いに接続され得るならば、ベース部分６の区域において接触要素１にも適用することができる。
【００３１】
図７に示される第２の実施形態において、接触要素１０１は、接触領域１０４を有して互いに接続された接触片１０３に減縮されている。接触片１０３は、接触要素１０１を保持する支持要素１１６に収容されている。図１から図６の実施形態に対して本質的な差異は、圧着片１１３および１１４が、接触要素１０１に接続されているのではなく、支持要素１１６に接続されている、即ち、支持要素１１６と一体に形成されるということである。以下で、図１から図６の実施形態に関する説明は、図７の実施形態に関して同様に有効であり、そのさい、しかしながら、図７の実施形態において、図１から図６の実施形態の参照符号に比較して、数値１００を加算された参照符号が使用されている。それらの説明に関しては、図１から図６の説明に言及されている。
【００３２】
上述した本発明の特徴を以下に簡潔に纏めて列記する。
【００３３】
１．矩形断面を有し且つ、所定の幅（Ｂ）および厚さ（Ｄ）を有する端子片（５）を備えた平らな雄端子用の雌端子であって、
接触要素（１，１０１）と、支持要素（１６，１１６）と、導体を電気的に接続するための手段（１３，１１３）と、を備え、
前記接触要素（１，１０１）が、
長手方向軸線（２，１０２）を形成し、
前記長手方向軸線（２，１０２）に沿って互いに接近し且つ、接触領域（４，１０４）をそれぞれ設けられた２つの弾性接触片（３，１０３）を有し、
前記接触領域（４，１０４）は、互いに対向して配置され、互いの間で狭持するようにして前記端子片（５）に接触し、
前記支持要素（１６，１１６）が、
矩形管状に形成され、前記接触要素（１，１０１）を取り囲む４つの壁（１９，２０，２１，２２；１１９，１２０，１２１，１２２）によって境界付けられ、
その内部に前記弾性接触片（３，１０３）を収容し、そのさい対向する２つの前記壁（１９，２１；１１９，１２１）が前記弾性接触片（３，１０３）をカバーし、
前記接触要素（１，１０１）に接続され、
前記弾性接触片（３，１０３）をカバーしない対向する２つの前記壁（２０，２２；１２０，１２２）上に、前記支持要素（１６，１１６）の第１端（１７，１１７）に近接して配置され、これら２つの対向する壁（２０，２２；１２０，１２２）に一端を接続された弾性係止片（２６，１２６）を有し、前記弾性係止片（２６，１２６）が、前記弾性接触片（３，１０３）の間に嵌合し、前記平らな雄端子が挿入されない限り、前記弾性接触片（３，１０３）の前記接触領域（４，１０４）を、予備応力を生じさせるように且つ、前記端子片（５）の厚さ（Ｄ）より小さい距離（Ａ）を互いに置いて非接触となるように保持し、前記端子片（５）の挿入前に、前記端子片（５）の幅（Ｂ）より小さい遊離距離（Ｃ）を互いに有し、前記支持要素（１６，１１６）の前記第１端（１７，１１７）から前記弾性接触片（３，１０３）の前記接触領域（４，１０４）よりもさらにオフセットされた接触区域において、前記長手方向軸線（２，１０２）に沿って挿入位置にある前記端子片（５）に接触する、
ことを特徴とする平らな雄端子用の雌端子。
【００３４】
２．上記１に記載の雌端子において、
前記接触要素（１）が、第１端部（７）および第２端部と、互いに対向して２つ１組で配置された４つの側壁（９，１０，１１，１２）と、を設けられた中空矩形のベース部分（６）を有し、
前記ベース部分において、前記弾性接触片（３）が、前記ベース部分（６）の前記第１端部（７）から且つ対向する２つの前記側壁（９，１２）から、前記長手方向軸線（２）に沿ってそれぞれ突出し、前記弾性接触片（３）が、前記第１端部（７）から離れるに従って互いに接近し、前記接触領域（４）を互いに対向させてそれぞれ有していることを特徴とする雌端子。
【００３５】
３．上記２に記載の雌端子において、
導体を電気的に接続するための前記手段が、前記接触要素（１）の前記ベース部分（６）の前記第２端部（８）と一体に形成された圧着片（１３，１４）によって形成されていることを特徴とする雌端子。
【００３６】
４．上記１に記載の雌端子において、
導体を電気的に接続するための前記手段が、前記支持要素（１１６）と一体に形成された圧着片（１１３）によって形成されていることを特徴とする雌端子。
【００３７】
５．上記１に記載の雌端子において、
前記接触領域（４，１０４）に続く前記弾性接触片（３，１０３）が、互いに離れて再び延びていることを特徴とする雌端子。
【００３８】
６．上記１または５に記載の雌端子において、
前記弾性接触片（３，１０３）が、前記支持要素（１６，１１６）の挿入開口（２９，１２９）の正面において終端となり、前記支持要素（１６，１１６）が、前記弾性接触片（３，１０３）をカバーする２つの前記壁（１９，２１；１１９，１２１）の壁部分（２７，２８；１２７，１２８）を有し、前記壁部分が、内側に向けて且つ前記弾性接触片（３，１０３）の自由端に向けて反転されており、挿入される前記端子片（５）の表面を案内することを特徴とする雌端子。
【図面の簡単な説明】
【００３９】
【図１】本発明による雌端子の第１の実施形態を示す側面図である。
【図２】第１の実施形態に係る図１の雌端子の上面図である。
【図３】図２のIII‐III長手方向断面図である。
【図４】支持要素のみを示す図１のIV‐IV断面図である。
【図５】図１のV‐V断面図である。
【図６】図１のVI‐VI断面図である。
【図７】本発明のさらに他の実施形態を示し、第２の実施形態の雌端子の長手方向断面図である。
【図８】平らな雄端子の端子片の１部分を示す斜視図である。
【符号の説明】
【００４０】
１，１０１  接触要素
２，１０２  長手方向軸線
３，１０３  接触片
４，１０４  接触領域
５  端子片
６  ベース部分
７  第１端部
８  第２端部
９  側壁
１０  側壁
１１  側壁
１２  側壁
１３，１１３  導体用の第１圧着片
１４，１１４  絶縁要素用の第２圧着片
１５，１１６  遷移部分
１６，１１６  支持要素
１７，１１７  第１端
１８，１１８  第２端
１９，１１９  壁
２０，１２０  壁
２１，１２１  壁
２２，１２２  壁
２３，１２３  保持片
２４，１２４  保持突起
２５，１２５  窓／開口
２６，１２６  係止片
２７，１２７  壁部分
２８，１２８  壁部分
２９，１２９  挿入開口
Ａ  接触領域間の距離
Ｂ  端子片の幅
Ｃ  係止片間の距離
Ｄ  端子片の厚さ
【図１】
2005050818.tif 000003
【図２】
2005050818.tif 000004
【図３】
2005050818.tif 000005
【図４】
2005050818.tif 000006
【図５】
2005050818.tif 000007
【図６】
2005050818.tif 000008
【図７】
2005050818.tif 000009
【図８】
2005050818.tif 000010